(57)【要約】【課題】  ポケットの上部の周縁に傾斜面を構成することで、ワークを確実にポケットに収納できるポケットを備えた治具の製造方法を提供する。【解決手段】  金属板の表面に、ワーク３０を配置するためのポケット２０を構成し、その後、前記ポケット２０の周縁部の角部２３をプレス加工して前記周縁部に傾斜面２４を構成するポケットを備えた治具の製造方法。【選択図】図１
2014111264.tif 000002
【特許請求の範囲】
【請求項１】
金属板の表面に、ワークを配置するためのポケットを構成し、
その後、前記ポケットの周縁部の角部にプレス加工を施し、
前記周縁部に傾斜面を構成することを特徴とするポケットを備えた治具の製造方法。
【発明の詳細な説明】
【技術分野】
【０００１】
本発明は、金属板等の表面に多数のポケットを備え、そのポケットにワークを挿入して加工等を行うためのポケットを備えた治具の製造方法に関するものでる。
【背景技術】
【０００２】
従来より、電子部品などを加工するために治具が使用されていた。この治具は、金属板等の表面に多数のポケットを穿設してあり、そのポケットにワークを挿入して加工等を行うものである。
例えば、特許文献１記載の半田付け治具は、半導体チップ１を基板２に半田マウントする際に用いるチップ保持用の半田付け治具であって、カーボン製の治具４にチップの外形サイズに対応するチップ挿入穴４ａが開口し、該治具を基板上に載置して前記穴の中に半田テープ３, チップを挿入した状態で半田付け炉を通炉して半田マウントを行うものにおいて、前記挿入穴４ａの底面側周域に溶融半田の逃げ部となるポケット４ｂを形成したものである。
【先行技術文献】
【特許文献】
【０００３】
【特許文献１】特開平５−３４３４４８号公報
【０００４】
前記特許文献１記載の発明は、半田付けの際に溶融半田が治具の底面と基板との間の細隙へ流れ出ることがなくなり、表面張力によりポケット内で適正な半田フィレットを形成してチップを基板に半田付けすることができるものである。
しかしながら、前記特許文献１記載の発明では、図６に示すように、チップ挿入穴４ａの周面壁４ｃが垂直であり表面４ｄとの角部４ｅが９０度であるため、半導体チップ１を基板２に半田マウントする際に、半導体チップ１が前記角部４ｅに当接して引っ掛かり、チップ挿入穴４ａにスムーズに挿入されにくいという問題点があった。
【発明の概要】
【発明が解決しようとする課題】
【０００５】
本発明は、従来の治具において、ポケットの上部の周縁に傾斜面を構成することで、ワークを確実にポケットに収納できるポケットを備えた治具の製造方法を提供することを目的とする。
【課題を解決するための手段】
【０００６】
請求項１に記載の発明は、金属板の表面に、ワークを配置するためのポケットを構成し、その後、前記ポケットの周縁部の角部にプレス加工を施し、前記周縁部に傾斜面を構成することを特徴とするポケットを備えた治具の製造方法である。
【発明の効果】
【０００７】
請求項１記載のポケットを備えた治具の製造方法によれば、ポケットの周縁部の角部にプレス加工によって正確に傾斜面をつくることで、効率の良いワークの加工作業が行える治具を簡易かつ迅速に製造することができる。
【図面の簡単な説明】
【０００８】
【図１】本発明の実施形態１のポケットを備えた治具の一部を省略した平面図
【図２】本発明の実施形態１のポケットを備えた治具のプレス加工前の一部拡大平面図
【図３】図２のIII−III線断面図
【図４】本発明の実施形態１のポケットを備えた治具のプレス加工後の一部拡大平面図
【図５】図４のV−V線断面図
【図６】従来の治具の使用状態を示す断面図
【発明を実施するための形態】
【０００９】
次に、図面に基づいて本発明の実施形態１を説明する。
図１は本発明によって作成されたポケットを備えた治具の一部を省略した平面図であり、図２乃至図５は本発明の実施形態１の説明図である。
【００１０】
本発明の実施形態１のポケットを備えた治具の製造方法は、まずステンレス板からなりワーク３０を固定するためのバキューム操作のための小孔１２を多数穿設した基板１１を構成する。
一方、ワーク３０を収容するための多数のポケット２０を穿設した上板２１を構成し、前記基板１１の上に重ねて固定し、ポケットを備えた治具１０を構成する。このとき、上板２１のポケット２０と基板１１の小孔１２とを整合させて重ねる（図２、図３参照）。
【００１１】
前記のように本実施形態ではステンレス板を使用したが、これに限定されず他の金属板、あるいはその他の材質の板材を使用できるものとする。
また前記基板１１と上板２１は一体に構成してもよく、小孔１２を構成しなくてもよい。さらに本実施形態では小孔１２を基板１１の全面に６４０個設けたが  この個数は任意に設定できる。
【００１２】
その後、前記ポケット２０の上部の周端部の角部２３をプレス加工によって傾斜面２４を構成し、図４、図５の状態とする。
このとき図３に示すように、プレス機の金型４０の下部には傾斜面４１を構成してあり、この傾斜面４１を前記ポケット２０の角部２３に当てて押圧することで、ポケット２０の周端部に傾斜面２４が構成され、同時に下部にはワーク３０の収容部２２が構成されるのである。
この収容部２２は、ワーク３０の治具への固定と加工時の位置出しのためのものであり、例えばＬＳＩなどを収容して加工作業を行うものである。
また、前記傾斜面２４の水平面に対する角度αは、本実施形態では４５度としたが、これに限定されず任意に決定できる。
【００１３】
上記のように構成した実施形態１の効果は次の通りである。
ポケット２０の周縁部の角部２３を、いわゆるツブシ加工によって金型４０通りに押圧して傾斜面２４を構成できるため、ポケットを備えた治具１０を迅速、大量に作成することができる。
また、前記治具１０を使用することで、傾斜面２４が平滑なためワーク３０が滑りやすく引っ掛かりも少なくなり、収容部２２へのワーク３０の収容作業が正確かつ迅速に行われミスも少ないため作業効率が向上するという効果も奏するのである。
【符号の説明】
【００１４】
１０   ポケットを備えた治具 
１１   基板
２１  上板
２０  ポケット
２２  ワーク収容部
２４  傾斜面
４０  プレス機の金型
【図１】
2014111264.tif 000003
【図２】
2014111264.tif 000004
【図３】
2014111264.tif 000005
【図４】
2014111264.tif 000006
【図５】
2014111264.tif 000007
【図６】
2014111264.tif 000008
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
基板に、ワークを固定するためのバキューム操作のための小孔を多数穿設し、
次いで上板に前記ワークを収容するための多数のポケットを穿設し、
前記基板の上に、前記上板を、ポケットと小孔とを整合させて重ねて固定し、
その後、下部に傾斜面を構成したプレス機の前記傾斜面を、前記ポケットの周端部の角部に当てて押圧することで、ポケットの周端部に傾斜面を構成し、同時にポケットの下部にワークの収容部を構成することを特徴とするポケットを備えた治具の製造方法。
【手続補正２】
【補正対象書類名】明細書
【補正対象項目名】０００６
【補正方法】変更
【補正の内容】
【０００６】
請求項１に記載の発明は、基板に、ワークを固定するためのバキューム操作のための小孔を多数穿設し、次いで上板に前記ワークを収容するための多数のポケットを穿設し、前記基板の上に、前記上板を、ポケットと小孔とを整合させて重ねて固定し、その後、下部に傾斜面を構成したプレス機の前記傾斜面を、前記ポケットの周端部の角部に当てて押圧することで、ポケットの周端部に傾斜面を構成し、同時にポケットの下部にワークの収容部を構成することを特徴とするポケットを備えた治具の製造方法である。